(57)【特許請求の範囲】
【請求項１】
前身頃と後身頃からなる身頃部に左右の袖が縫着され、かつ、腋下と対応する前記身頃部と前記袖との縫着部の内部に汗取りパッドが取り付けられている衣類であって、
前記前身頃と前記袖の前身頃側との袖付けラインはラグラン・ラインとすると共に、前記後身頃と前記袖の後身頃側との袖付けラインはセットイン・ラインとし、該ラグラン・ラインとセットイン・ラインとは腋下位置で連続させる一方、
前記袖の前身頃側と後身頃側の先端同士を腋下側で縫着し、該袖の縫着ラインは前記腋下位置でラグラン・ラインとセットイン・ラインの縫着ラインと接合し、
前記汗取りパッドは袖側部分と身頃側部分とを備え、該汗取りパッドの袖側部分と身頃側部分の境界部を前記ラグラン・ラインおよびセットイン・ラインの縫着ラインに沿って縫着し、腋下の接合位置から前記ラグラン・ラインに沿って延在する寸法を前記セットイン・ラインに添って縫着する寸法より１ｃｍ以上は長くして、該汗取りパッドの前身頃および袖の前身頃側に位置する前身頃側の面積Ｓ１は後身頃および袖の後身頃側に位置する後身頃側の面積Ｓ２より大としていることを特徴とする汗取りパッド付き衣類。
【請求項２】
前記面積Ｓ１とＳ２とは、Ｓ１：Ｓ２＝１．８：１〜１．２：１とし、かつ、
前記汗取りパッドの前記ラグラン・ラインに沿って延在する寸法は５ｃｍ〜９ｃｍ、前記セットイン・ラインに添って縫着する寸法は４ｃｍ〜８ｃｍとしている請求項１に記載の汗取りパッド付き衣類。
【請求項３】
前記前身頃側のラグラン・ラインは、肩ラインと平行する基準ラインに対して、前記腋下の接合位置を支点として上方へ１２度、下方へ１０度の範囲内で傾斜させている請求項１または請求項２に記載の汗取りパッド付き衣類。
【請求項４】
袖付きインナーまたはインナー無しで着用される袖付きＴシャツ等のアウターからなる請求項１乃至請求項３のいずれか１項に記載の汗取りパッド付き衣類。
【発明の詳細な説明】
【技術分野】
【０００１】
本発明は、腋下に汗取りパッドを付けた肌着等に関するもので、特に前後身頃と袖との縫着ラインを工夫して発汗しやすい位置に汗取りパッドを配置するものである。
【背景技術】
【０００２】
腋下は最も発汗しやすい箇所であり、かつ、この腋の汗によって衣類の腋下部分に汗ジミが生じることを防止するため、従来より様々な汗取りパッド付き衣類が提供されている。この種の汗取りパッド付き衣類として、使い捨てタイプの汗取りパッドを衣類の腋下部分に着脱自在に取り付けるタイプのものと、汗取りパッドを衣類内側に予め取り付けているものがある。
【０００３】
例えば、特開２００１−４０５０４号（特許文献１）では、図７に示す衣類１が提案されており、該衣類は前後身頃布２、３と左右の袖布４との袖付けライン５を肩峰の回りに添ったセットイン・ラインとし、首周りやと腋下などの発汗量の多い箇所の内側に高吸水性および高吸湿性を備えた汗取りパッド６、７、８を取り付けている。
【０００４】
人体の腋の下は、腕をやや上げただけでは前方斜め下を向く。さらに腕を上げた時は、肩の回転に伴い腋の下は前方を向く。従って、腋下箇所の汗取りパッドは、正確な腋下の向き、および日常的な腕の動きに伴う腋下の向きの変化を考慮して配置しなければ効果的に汗を吸収することはできない。
前記した観点から、前後身頃の脇線と袖とが接合する腋下位置を基準として、後身頃側よりも前身頃寄り汗取りパッドを配置した方が好ましい。
しかしながら、前記特許文献１の汗取りパッドを取り付けた衣類１をはじめ従来の汗取りパッド付き衣類にはこの点についての配慮がなされていない。
【０００５】
一方、前記衣類１のようなセットイン・ラインの袖付けライン５は、肩峰位置の肩繰りに添って袖との縫い目が現われるため、視覚効果により着用時に肩のラインがはっきりとして、なで肩に見えやすいラグラン・ラインより一般に好まれる傾向にある。
しかしながら、肩繰り全周が縫い目で囲まれるため、腕の上げ下げに挙動に伴う変形量が最も大きい位置で縫着ラインがあると伸びが小さくなり、運動追従性が悪い点に問題がある。特に、身頃部と袖との縫着ラインで伸びが悪くなると、該縫着ラインに添って汗取りパッドを縫着した場合、袖側に引っ張られて腋下に配置している汗取りパッドもズリ上がり、最適な汗取り位置から外れやすくなる。
【０００６】
【特許文献１】特開２００１−４０５０４号公報
【発明の開示】
【発明が解決しようとする課題】
【０００７】
本発明は前記問題に鑑みてなされたもので、日常的な腕の動きに対する追従性がよく、汗取りパッドが常に最適な部分に位置させて、脇下の汗を効率よく吸収できるようにして、優れた快適性を備えた汗取りパッド付き衣類の提供を課題としている。
【課題を解決するための手段】
【０００８】
前記課題を解決するために、本発明は、前身頃と後身頃からなる身頃部に左右の袖が縫着され、かつ、腋下と対応する前記身頃部と前記袖との縫着部の内部に汗取りパッドが取り付けられている衣類であって、
前記前身頃と前記袖の前身頃側との袖付けラインはラグラン・ラインとすると共に、前記後身頃と前記袖の後身頃側との袖付けラインはセットイン・ラインとし、該ラグラン・ラインとセットイン・ラインとは腋下位置で連続させる一方、
前記袖の前身頃側と後身頃側の先端同士を腋下側で縫着し、該袖の縫着ラインは前記腋下位置でラグラン・ラインとセットイン・ラインの縫着ラインと接合し、
前記汗取りパッドは袖側部分と身頃側部分とを備え、該汗取りパッドの袖側部分と身頃側部分の境界部を前記ラグラン・ラインおよびセットイン・ラインの縫着ラインに沿って縫着し、腋下の接合位置から前記ラグラン・ラインに沿って延在する寸法を前記セットイン・ラインに添って縫着する寸法より１ｃｍ以上は長くして、該汗取りパッドの前身頃および袖の前身頃側に位置する前身頃側の面積Ｓ１は後身頃および袖の後身頃側に位置する後身頃側の面積Ｓ２より大としていることを特徴とする汗取りパッド付き衣類を提供している。
【０００９】
前記構成の汗取りパッド付き衣類は、前身頃側の袖付けラインをラグラン・ラインとし、該ラグラン・ラインに沿って汗取りパッドと縫着しているため、従来よりも汗取りパッドを胸側に引き寄せて、後身頃側より前身頃側に大きな面積で配置することが容易にできる。このように、汗取りパッドの前身頃側を後身頃側よりも大面積で配置しているため、腕をやや上げただけで前方斜め下を向き、さらに腕を上げた時は肩の回転に伴い腋の下は前方を向く腋下の向きの特徴に対応し、腋下の汗を最適な位置で正確に捕捉して吸収することができる。また、汗取りパッドを前身頃側より小面積ではあるが後身頃側にも配置しているため、腋下から背面側へ伝い流れようとする汗も確実に捕捉することができる。
【００１０】
また、前身頃側の袖付けラインをラグラン・ラインとしているため、腕の上げ下げにおいて最も変形量の大きい肩繰りで伸びを確保することができ、挙動追従性が高まり、着用感を良好とすることができる。かつ、前身頃側では腕の上げ下げによって汗取りパッドが位置ずれすることも防止でき、常に最適な位置で腋下の汗をパッドで吸収することができる。
一方、腋下の汗取りパッドの適正配置性に殆ど影響しない後身頃側において、袖付けラインをセットイン・ラインとすることにより、汗取りパッドの機能を毀損することなく、比較的ぴったり背中側に添ってすっきりとした外観を与えることができる。
【００１１】
前記汗取りパッドは、具体的には、前後身頃側片と袖側片との二枚の吸湿性を有する素材で形成し、これら前後身頃側片と袖側片とを前後身頃部と袖との縫着ラインで縫着し、前後身頃側片の下端は前後身頃部の脇線位置で縫い止めする一方、前記袖側片の先端は袖の内面に縫着していることが好ましい。
前記のように、汗取りパッドと前身頃、後身頃および袖との縫着箇所は、前記袖付けラインに沿った縫着箇所に加え、脇線方向に延在した下端部と袖側に延在した先端部の計３箇所とし、前記縫着箇所以外は遊離させておく、放湿性を高めることが出来ると共に、汗取りパッドを腕の動きに追従させやすくなる。
なお、汗取りパッドは一枚布で形成し、その中央部を前後身頃部と袖との縫着ラインで縫着してもよい。
【００１２】
前記汗取りパッドの前身頃および袖の前身頃側に位置する前身頃側の面積Ｓ１と、後身頃および袖の後身頃側に位置する後身頃側の面積Ｓ２とは、Ｓ１：Ｓ２＝１・８：１〜１．２：１としていることが好ましい。
汗取りパッドを前記比率で形成することにより、汗取りパッドを前身頃側、後身頃側、脇線側の３方向それぞれに必要十分な大きさで配置することができ、腋下の汗を漏れなくキャッチして吸収することができると共に、必要以上な大きさとなってパッドのラインが外部から露見しやすくなることを防止できる。
【００１３】
また、前記のように、腋下の接合位置から前記ラグラン・ラインに沿って延在する寸法を前記セットイン・ラインに添って縫着する寸法より１ｃｍ以上は長くしている。前記ラグラン・ラインに沿って延在する寸法は５ｃｍ〜９ｃｍ、前記セットイン・ラインに添って縫着する寸法は４ｃｍ〜８ｃｍとすることが好ましい。なお、前記縫着寸法は女性用肌着を基準としており、衣類の大きさ（Ｓ、Ｍ、Ｌ）に応じて若干相違する。
さらに、前記汗取りパッドは、腋下位置から脇線ラインに添って５〜７ｃｍ程度延在させると共に、腋下位置から袖側へ５〜７ｃｍ程度延在させることが好ましい。
【００１４】
前記前身頃側のラグラン・ラインは、肩ラインと平行する基準ラインに対して、前記腋下の接合位置を支点として上方へ１２度、下方へ１０度の範囲内で傾斜させており、かつ、前記袖は上下方向の伸縮性を大としていることが好ましい。
ラグラン・ラインの傾斜角度を前記範囲内とすることにより、腕の上げ下げによる変形量が最も大きい肩繰り部分に、縫い目のない袖の領域を広く確保できると共に、該袖が上下方向に大きく伸縮することにより、腕の上げ下げに対する運動追従性を一層効果的に高めることができる。
【００１５】
本発明の衣類は、袖付きインナーまたはインナー無しで着用される袖付きＴシャツ等のアウターに適用される。
なお、袖が短い半袖の場合は、該袖と汗取りパッドの袖側先端部とを袖口に沿って縫着することにより、縫い目を目立たなくすることができる。
【発明の効果】
【００１６】
上述したように、本発明によれば、前身頃側の袖付けラインをラグラン・ラインとし、該ラグラン・ラインに沿って汗取りパッドを縫着すると共に、該汗取りパッドの前身頃側が後身頃側よりも大面積となるように配置している。これにより、汗取りパッドは従来よりも前側に重点的に配置されるため、腕の上げ下ろしに応じて前方または前方斜め下を向くという腋下の向きの特徴に対応し、腋下の汗を最適な位置で正確に吸収することができる。
【００１７】
また、前身頃側の袖付けラインをラグラン・ラインとしているため、該前身頃側では肩繰りに縫い目が配置されず、腕の上げ下げにおいて最も変軽量の大きい肩繰りで伸びを確保することができる。従って、日常動作に対する運動追従性が高まり、着用感が良好になるうえ、腕の上げ下げによって汗取りパッドが位置ずれすることも防止でき、常に最適な位置で腋下の汗をパッドで吸収することができる。
【発明を実施するための最良の形態】
【００１８】
以下、本発明の実施形態を図面を参照して説明する。
図１乃至図６に本発明の実施形態に係る衣類１０を示す。
衣類１０は、被りタイプの三分袖のインナーシャツであり、本体１１の左右の脇下部分の内面に左右一対の汗取りパッド２１を備えている。
【００１９】
本体１１は、平編みで編成された端始末不要の綿フライス生地からなり、図１（Ａ）（Ｂ）および図２（Ａ）に示すように、身頃部１２に左右の袖１５が縫着されてなる。身頃部１２は、前身頃１３と後身頃１４とを脇線Ｌ３で縫着して形成している。
【００２０】
前記前身頃１３と袖１５との袖付けラインはラグラン・ラインＬ１とする一方、前記後身頃１４と袖１５との袖付けラインはセットイン・ラインＬ２とし、図２（Ａ）で示すように、これらラグラン・ラインＬ１とセットイン・ラインＬ２とを腋下位置で連続させている。
【００２１】
詳細には、図４に示すように、前身頃１３は左右両肩まで延在せず、深めの襟ぐり１７の前中央部を形成する前襟ぐり端縁１３ａと、該前襟ぐり端縁１３ａの左右両端から左右の脇側端縁１３ｂの上端１３ｃまで伸びる前袖付け端縁１３ｄとを上端としている。
【００２２】
一方、後身頃１４は左右両肩まで延在させ、襟ぐり１７の背面側全体を形成する後襟ぐり端縁１４ａを上端とし、該後襟ぐり端縁１４ａの左右両端１４ｅを左右両肩上に位置させている。この後襟ぐり端縁１４ａの左右両端１４ｅから左右の脇側端縁１４ｂの上端１４ｃにかけて前記セットイン・ラインＬ２の後袖付け端縁１４ｄを形成している。該後ろ袖付け端縁１４ｄは、左右の脇側端縁１４ｂの上端１４ｃから左右肩上近傍までは肩繰りのラインに沿って伸びるが、該肩上近傍から肩上にかけては肩上で襟ぐり１７と接合するように襟ぐり１７側に湾曲している。
【００２３】
前記左右の袖１５は、袖口端縁１５ａと、前身頃側の腋下端縁１５ｂと、後身頃側の腋下端縁１５ｃと、前身頃１３に縫着される前側端縁１５ｄと、後身頃１４に縫着される後側端縁１５ｅと、襟ぐり１７の前側の左右両側を形成する左右襟ぐり端縁１５ｆとで囲まれてなる。
【００２４】
前記左右の袖１５は、前側腋下端縁１５ｂと後側腋下端縁１５ｃとを縫着し、図２（Ａ）に示すように、この腋下縫着ラインＬ４を前記ラグラン・ラインＬ１とセットイン・ラインＬ２とからなる袖付けラインと接合させている。本実施形態においては、この接合位置Ｐを前記脇線Ｌ３の上端点と一致させている。
【００２５】
前記ラグラン・ラインＬ１は肩ラインＬ５と略平行としており、図３に示すように、本実施形態においては該肩ラインＬ５と平行する基準ラインＬ５’に対して、前記接合位置Ｐを支点として上方へθ（１０度）だけ傾斜させている。
【００２６】
前後身頃部１３、１４からなる前記身頃部１２は横方向の伸縮性を大としているが、前記袖１５は上下方向の伸縮性を大としている。
【００２７】
前記左右の汗取りパッド２１は、本実施形態では東洋紡（株）製の「ウオーターブロック」で形成している。図２（Ａ）（Ｂ）に示すように、前記接合位置Ｐを中心とする左右の腋下位置に配置している。
【００２８】
各汗取りパッド２１は、図２（Ｂ）に示すように、身頃側片２２と袖側片２３の２枚かで形成している。身頃側片２２と袖側片２３とは、その境界部２４を前記ラグラン・ラインＬ１とセットイン・ラインＬ２からなる袖付けラインの腋下位置に沿って縫着し、互いに接合すると共に、袖付けラインに沿って前身頃部１３と後身頃部１４および袖１５に縫着している。
【００２９】
前記身頃側片２２は、前記袖付けラインから脇線Ｌ３に沿って身頃側に配置し、図５に示すように、円弧状の袖側端縁２２ａと、該袖側端縁２２ａの前後両端２２ｃ、２２ｄから互いに近接方向に円弧状に伸びて脇線Ｌ３上の下端点２２ｅで滑らかに連続する円弧状の脇側端縁２２ｂとで囲まれた略三日月形状としている。
【００３０】
前記袖側片２３は、前記袖付けラインから脇下縫着ラインＬ４に沿って袖側に配置され、円弧状の身頃側端縁２３ａと、該身頃側端縁２３ａの前後両端２３ｅ、２３ｆから袖口端縁２３ｂの両端に向かって略平行に伸びる前側端縁２３ｃと後側端縁２３ｄで囲まれた略矩形状としている。
【００３１】
前記身頃側片２２の袖側端縁２２ａの長さと前記袖側片２３の身頃側端縁２３ａの長さは同一とし、図２（Ｂ）に示すように、前記接合位置Ｐから前側端２２ｃ（２３ｅ）までの長さ（パッド前側幅Ｌ６）を７ｃｍとし、接合位置Ｐから後側端２２ｄ（２３ｆ）までの長さ（パッド後側幅Ｌ７）を５ｃｍとしている。また、接合位置Ｐから前記下端点２２ｅまでの長さ（パッド脇線長さＬ８）を６ｃｍとしている。
【００３２】
前記身頃側片２２と前記袖側片２３はいずれも、後身頃側よりも前身頃側に配置される面積を大としている。本実施形態においては、図２（Ａ）にも示すように、接合位置Ｐで連続する身頃部１２の脇線Ｌ３と前記袖１５の腋下縫着ラインＬ４よりも前身頃側に配置される汗取りパッド２１の面積Ｓ１と、後身頃側に配置される汗取りパッド２１の面積Ｓ２とが、Ｓ１：Ｓ２＝１．５：１となるように設定している。
【００３３】
前記汗取りパッド２１と本体１１とは、汗取りパッド２１の身頃側片２２と袖側片２３の境界部２４を、前記ラグラン・ラインＬ１とセットイン・ラインＬ２からなる袖付けラインの腋下位置に縫着し、かつ、身頃側片２２の下端点２２ｅを身頃部１２の脇線Ｌ３に縫着し、かつ、袖側部２３の袖口端縁２３ｂを袖１５の袖口端縁１５ａに縫着し、合計３箇所で固定している。これらの縫着箇所以外では、汗取りパッド２１を本体１１とを縫着せずに、遊離させている。
【００３４】
前記構成よりなる汗取りパッド２１を備えた衣類１０は、前身頃側の袖付けラインをラグラン・ラインＬ１とし、該ラグラン・ラインＬ１に沿って汗取りパッド２１を縫着しているため、該汗取りパッド２１を胴体側に引き寄せながらより前側へと配置することができる。しかも、該汗取りパッド２１の前身頃側面積Ｓ１を後身頃側面積Ｓ２より大面積としている。これにより、この衣類を着用すると、腕を下ろしているときでもやや前方を向き、図６に示すように、腕を上げるとほぼ完全に前方を向く腋下を常時正確に汗取りパッド２１で覆うことができるため、腋下の汗を確実に吸収させることができる。
【００３５】
また、Ｓ１：Ｓ２＝１．８：１〜１．２：１の範囲内とすると共に、前記接合位置Ｐから汗取りパッド２１の身頃側片２２の前側端２２ｃまでのパッド前側幅Ｌ６を５ｃｍ〜９ｃｍの範囲内とし、接合位置Ｐから後身頃側の長さＬ７を４ｃｍ〜８ｃｍとし、前身頃側を少なくとも１ｃｍ以上大とし、さらに、腋下側に４〜８ｃｍ延在させているため、前側に染み出る汗に重点をおきながら、背面側に流れる汗や脇下へ流れる汗も確実に捕集して吸収することができる。
【００３６】
さらに、前身頃側の袖付けラインをラグラン・ラインＬ１としていることにより、図６に示すように、腕の上げ下げの際に最も変形量が大きい肩繰り全周が伸びの小さい縫着部に囲まれることを防ぎ、肩繰りの前身頃側で伸びを確保することができる。しかも、前記袖１５の伸びを上下方向に大としているうえ、ラグラン・ラインＬ１を肩ラインＬ５と略平行とすることによって肩繰りにおける袖１５の配置領域を広く確保することができる。これにより、腕の上げ下げ等の日常動作に対する衣類１０の追従性が高まり、着用感が向上すると共に、腋下に取り付けられた汗取りパッド２１の位置ずれも防止できる。
【００３７】
また、汗取りパッド２１を身頃側片２２と袖側片２３の２枚構成としているため、腋下のカーブにフィットする立体的な汗取りパッド２１を容易に形成できると共に、身頃側片２２と袖側片２３との縫着と、本体１１への縫着を一作業で同時に行うことができるため、作業性もよい。
【００３８】
さらにまた、後身頃側の袖付けラインはセットイン・ラインＬ２であるため、袖付けの縫着線がラグラン・ラインよりも外側に位置し、その視覚効果によって適度に肩幅がある格好良いスタイルに見せることができる。
【００３９】
なお、本発明の衣類は実施形態の半袖肌着に限定されず、冬季でも暖房により汗をかく場合があるため長袖肌着にも適用可能である。さらに、肌着を着ないで着用する場合が多い半袖Ｔシャツ等のアウターにも適用可能である。
【図面の簡単な説明】
【００４０】
【図１】本発明の第一実施形態に係る衣類を示し、（Ａ）は正面図、（Ｂ）は背面図である。
【図２】図１に示す衣類の着用時の腕を上げた状態を示し、（Ａ）は側面図、（Ｂ）は裏返し状態の側面図である。
【図３】図１（Ａ）の部分拡大図である。
【図４】図１に示す衣類本体のパターン図である。
【図５】図１に示す汗取りパッドのパターン図である。
【図６】図１に示す衣類の着用時の腕を上げた状態を示す正面図である。
【図７】従来例を示す図である。
【符号の説明】
【００４１】
１０  衣類
１１  本体
１２  身頃部
１３  前身頃
１４  後身頃
１５  袖
２１  汗取りパッド
２２  身頃側片
２３  袖側片
Ｌ１  ラグラン・ライン
Ｌ２  セットイン・ライン
Ｐ  接合位置
【図１】
0004951471.tif 000002
【図２】
0004951471.tif 000003
【図３】
0004951471.tif 000004
【図４】
0004951471.tif 000005
【図５】
0004951471.tif 000006
【図６】
0004951471.tif 000007
【図７】
0004951471.tif 000008